(57)【要約】【課題】指の滑りを抑えてキャップを容易に回転させることが可能なキャップ付き容器を提供する。【解決手段】口部１１を有する容器本体１０と、頂壁２１と周壁２２とを備え、周壁２２の内周面に設けられた雌ネジ２２ａが口部１１の外周面に設けられた雄ネジ１１ａにねじ結合することで口部１１に着脱自在に装着されるキャップ２０と、を有するキャップ付き容器１であって、周壁２２が、雌ネジ２２ａが設けられたネジ形成部分２２Ａと頂壁２１との間に、円筒状の外周面を有するとともに、ネジ形成部分２２Ａよりも径方向の厚みが薄い複数の薄肉部２４と薄肉部２４よりも径方向の厚みが厚い複数の厚肉部２５とが周方向に交互に並べて設けられた把持部分２２Ｂを有することを特徴とするキャップ付き容器１。【選択図】図４
2019043606.tif 000002
【特許請求の範囲】
【請求項１】
口部を有する容器本体と、
頂壁と周壁とを備え、前記周壁の内周面に設けられた雌ネジが前記口部の外周面に設けられた雄ネジにねじ結合することで前記口部に着脱自在に装着されるキャップと、を有するキャップ付き容器であって、
前記周壁が、前記雌ネジが設けられたネジ形成部分と前記頂壁との間に、円筒状の外周面を有するとともに、前記ネジ形成部分よりも径方向の厚みが薄い複数の薄肉部と前記薄肉部よりも径方向の厚みが厚い複数の厚肉部とが周方向に交互に並べて設けられた把持部分を有することを特徴とするキャップ付き容器。
【請求項２】
前記厚肉部の周方向長さよりも前記薄肉部の周方向長さが長い、請求項１に記載のキャップ付き容器。
【請求項３】
複数の前記薄肉部の周方向長さが互いに同一であるとともに、複数の前記厚肉部の周方向長さが互いに同一である、請求項１または２に記載のキャップ付き容器。
【請求項４】
前記薄肉部と前記厚肉部とが、それぞれ偶数個設けられている、請求項３に記載のキャップ付き容器。
【請求項５】
複数の前記厚肉部が、それぞれ周方向長さよりも軸方向長さが長い柱状に形成されている、請求項１〜４の何れか１項に記載のキャップ付き容器。
【請求項６】
前記厚肉部が前記薄肉部に対して径方向内側に突出して設けられ、前記把持部分の外周面の外径が全周に亘って一定である、請求項１〜５の何れか１項に記載のキャップ付き容器。
【請求項７】
前記薄肉部の径方向の厚みが、前記ネジ形成部分における前記周壁の径方向の厚みの半分以下である、請求項１〜６の何れか１項に記載のキャップ付き容器。
【請求項８】
前記容器本体が広口瓶形状である、請求項１〜７の何れか１項に記載のキャップ付き容器。
【発明の詳細な説明】
【技術分野】
【０００１】
本発明は、容器本体の口部にキャップが着脱自在に装着されて成るキャップ付き容器に関する。
【背景技術】
【０００２】
従来、種々の内容物を収容する容器として、口部を有する容器本体と、頂壁と周壁とを備え、周壁の内周面に設けられた雌ネジが口部の外周面に設けられた雄ネジにねじ結合することで口部に着脱自在に装着されるキャップと、を有するキャップ付き容器が知られている。
【０００３】
キャップ付き容器に用いられるキャップとしては、例えばポリプロピレン樹脂等の合成樹脂材料により、周壁の外周面が円筒状となる形状に形成されたものが多く用いられている。このようなキャップでは、キャップを着脱するために指でキャップを把持して回転させる際に、指がキャップに対して滑るのを防止するために、キャップの周壁の外周面に、例えばローレット加工やスプライン加工など、指の滑り止めのための構成が設けられるのが一般的である。
【０００４】
例えば特許文献１には、キャップの周壁の外周面に柔軟性に富んだ軟質皮膜を設けることで指の滑り止めとしたキャップ付き容器が記載されている。
【先行技術文献】
【特許文献】
【０００５】
【特許文献１】特開２００５−７５４０４号公報
【発明の概要】
【発明が解決しようとする課題】
【０００６】
しかし、上記従来のキャップ付き容器のように、周壁の外周面に滑り止めを設けた構成であっても、例えば強く閉められているキャップを開ける場合などにおいて、キャップに対する指の滑りを十分に抑えることができず、キャップを回転させることが困難になる場合があるという問題点があった。
【０００７】
本発明は、このような点を解決することを課題とするものであり、その目的は、指の滑りを抑えてキャップを容易に回転させることが可能なキャップ付き容器を提供することにある。
【課題を解決するための手段】
【０００８】
本発明のキャップ付き容器は、口部を有する容器本体と、頂壁と周壁とを備え、前記周壁の内周面に設けられた雌ネジが前記口部の外周面に設けられた雄ネジにねじ結合することで前記口部に着脱自在に装着されるキャップと、を有するキャップ付き容器であって、前記周壁が、前記雌ネジが設けられたネジ形成部分と前記頂壁との間に、円筒状の外周面を有するとともに、前記ネジ形成部分よりも径方向の厚みが薄い複数の薄肉部と前記薄肉部よりも径方向の厚みが厚い複数の厚肉部とが周方向に交互に並べて設けられた把持部分を有することを特徴とする。
【０００９】
本発明のキャップ付き容器は、上記構成において、前記厚肉部の周方向長さよりも前記薄肉部の周方向長さが長いのが好ましい。
【００１０】
本発明のキャップ付き容器は、上記構成において、複数の前記薄肉部の周方向長さが互いに同一であるとともに、複数の前記厚肉部の周方向長さが互いに同一であるのが好ましい。
【００１１】
本発明のキャップ付き容器は、上記構成において、前記薄肉部と前記厚肉部とが、それぞれ偶数個設けられているのが好ましい。
【００１２】
本発明のキャップ付き容器は、上記構成において、複数の前記厚肉部が、それぞれ周方向長さよりも軸方向長さが長い柱状に形成されているのが好ましい。
【００１３】
本発明のキャップ付き容器は、上記構成において、前記厚肉部が前記薄肉部に対して径方向内側に突出して設けられ、前記把持部分の外周面の外径が全周に亘って一定であるのが好ましい。
【００１４】
本発明のキャップ付き容器は、上記構成において、前記薄肉部の径方向の厚みが、前記ネジ形成部分における前記周壁の径方向の厚みの半分以下であるのが好ましい。
【００１５】
本発明のキャップ付き容器は、上記構成において、前記容器本体が広口瓶形状であるのが好ましい。
【発明の効果】
【００１６】
本発明によれば、指の滑りを抑えてキャップを容易に回転させることが可能なキャップ付き容器を提供することができる。
【図面の簡単な説明】
【００１７】
【図１】本発明の一実施の形態であるキャップ付き容器の半断面図である。
【図２】図１に示すキャップの半断面図である。
【図３】図２におけるＡ−Ａ線に沿う断面図である。
【図４】キャップを回転させている状態を示す断面図である。
【発明を実施するための形態】
【００１８】
以下、図面を参照して、本発明をより具体的に例示説明する。
【００１９】
図１に示す本発明の一実施の形態であるキャップ付き容器１は、例えばクリーム状の化粧料などを内容物として収容する用途に用いることができるものであり、容器本体１０とキャップ２０とを有している。
【００２０】
容器本体１０は、円筒状の口部１１、口部１１に連なる円筒状の胴部１２及び胴部１２の下端を閉塞する円形の底部１３を備えており、全体として広口瓶形状（ジャー形状）となっている。容器本体１０の内部は内容物を収納する収納空間Ｓとなっており、口部１１を通して収納空間Ｓに内容物を充填することができるとともに、口部１１を通して収納空間Ｓに収納されている内容物を取り出すことができる。
【００２１】
口部１１は胴部１２よりも外径が小さく形成されており、その外周面には雄ネジ１１ａが一体に設けられている。雄ネジ１１ａは、口部１１の外周面の上下方向（軸方向）の中央位置よりも下方側（胴部１２の側）に設けられ、口部１１の外周面の上下方向の中央位置よりも上方側には設けられていない。
【００２２】
本実施の形態では、容器本体１０は合成樹脂材料を射出成形して形成された合成樹脂製のものであるが、例えばガラス製や金属製など、他の材質で形成されたものであってもよい。
【００２３】
また、本実施の形態では、容器本体１０は広口瓶形状のものであるが、口部１１を有していれば、例えばボトル形状などの他の形状のものであってもよい。
【００２４】
キャップ２０は、例えばポリプロピレン樹脂等の合成樹脂製となっており、円形の頂壁２１と円筒状の周壁２２とを備えた有頂円筒状の外形形状を有している。
【００２５】
周壁２２の内周面の上下方向（軸方向）の中央位置よりも下方側には雌ネジ２２ａが一体に設けられている。周壁２２の雌ネジ２２ａが一体に設けられている部分はネジ形成部分２２Ａである。キャップ２０は、雌ネジ２２ａが口部１１に設けられた雄ネジ１１ａにねじ結合することで、口部１１に着脱自在に装着されている。
【００２６】
周壁２２の外径寸法は容器本体１０の胴部１２の外径寸法と略同一となっており、容器本体１０の口部１１にキャップ２０が装着されると、容器本体１０の外周面とキャップ２０の外周面とが滑らかに連なるようになっている。これにより、キャップ付き容器１は、容器本体１０とキャップ２０とが一体感を有する美観の高いものとなっている。
【００２７】
キャップ２０の内側には、頂壁２１の内面に重ねて円形シート状のシール材２３が装着されている。シール材２３は、キャップ２０の頂壁２１の内面に接着剤を用いて接着されてキャップ２０に固定されている。キャップ２０が口部１１に装着されたときに、口部１１の開口端（上端）がシール材２３に弾性的に当接することにより、口部１１はキャップ２０によって液密ないし気密に密封される。なお、本実施の形態においては、シール材２３を、キャップ２０の頂壁２１の内面に接着剤を用いた接着により固定した構成としているが、これに限らず、例えば、周壁２２の内周面に環状ないし断続状にリブを設け、当該リブにシール材２３の外周縁をアンダーカット状に係合させてシール材２３をキャップ２０に保持させる構成とするなど、シール材２３をキャップ２０に装着する構成は種々変更可能である。
【００２８】
キャップ２０の周壁２２は、雌ネジ２２ａが設けられたネジ形成部分２２Ａと頂壁２１との間に円筒状の外周面を有する把持部分２２Ｂを有している。
【００２９】
図２、図３に示すように、キャップ２０の周壁２２に設けられる把持部分２２Ｂは、複数の薄肉部２４と複数の厚肉部２５とを有している。薄肉部２４と厚肉部２５とは、互いに同数設けられ、周方向に交互に並べて設けられている。図示する場合では、把持部分２２Ｂは、４つ（偶数個）の薄肉部２４と４つ（偶数個）の厚肉部２５とが、周方向に交互に並べて設けられた構成となっている。
【００３０】
４つの薄肉部２４は、それぞれ径方向の厚みが、ネジ形成部分２２Ａにおける周壁２２の径方向の厚みよりも薄くなっている。図示する場合では、それぞれの薄肉部２４の径方向の厚みは、ネジ形成部分２２Ａにおける周壁２２の径方向の厚みの半分以下である。なお、４つの薄肉部２４の径方向の厚みは互いに同一であるとともに周方向の各位置で一定である。薄肉部２４は、径方向の厚みがネジ形成部分２２Ａにおける周壁２２の径方向の厚みよりも薄く形成されることにより、ネジ形成部分２２Ａよりも径方向内側に向けて容易に弾性変形することができる。
【００３１】
４つの厚肉部２５は、それぞれ径方向の厚みが、薄肉部２４の径方向の厚みよりも厚くなっている。図示する場合では、厚肉部２５の径方向の厚みは、ネジ形成部分２２Ａにおける周壁２２の径方向の厚みに雌ネジ２２ａの周壁２２の内周面から径方向内側へ向けた突出量を加えた厚みとされている。なお、４つの厚肉部２５の径方向の厚みは互いに同一である。厚肉部２５は、薄肉部２４よりも径方向の厚みが厚く形成されることにより、薄肉部２４よりも径方向の内側に向けて弾性変形しづらくなっている。
【００３２】
４つの厚肉部２５は、それぞれ薄肉部２４に対して径方向内側に向けて突出することで、径方向の肉厚を増す形状となっている。すなわち、把持部分２２Ｂは、その外周面が全周に亘って外径が一定の円筒状であるが、その内周面の内径が周方向位置で変化することで、把持部分２２Ｂは肉厚の薄い薄肉部２４と肉厚の厚い厚肉部２５とを備えた構成となっている。
【００３３】
このように、把持部分２２Ｂは、径方向の肉厚が互いに相違する薄肉部２４と厚肉部２５とが周方向に向けて交互に並べて設けられた構成となっている。
【００３４】
本実施の形態では、４つの薄肉部２４の周方向長さは互いに同一となっており、４つの厚肉部２５の周方向の長さも互いに同一なっている。すなわち、把持部分２２Ｂは、同一の周方向長さの４つの薄肉部２４が周方向に等間隔に並ぶとともに、同一の周方向長さの４つの厚肉部２５が周方向に等間隔に並ぶ構成となっている。
【００３５】
４つの厚肉部２５は、それぞれ周方向長さが薄肉部２４の周方向の長さよりも短くなっている。これにより、把持部分２２Ｂは、周方向の全範囲に占める薄肉部２４の割合が厚肉部２５よりも大きい構成となっている。また、４つの厚肉部２５は、それぞれ周方向長さよりも上下方向長さ（軸方向長さ）が長く、軸方向に沿って延びる柱状に形成されている。図示する場合では、柱状に形成された厚肉部２５の平面視における断面形状は、径方向外側から内側に向けて周方向幅が狭まる台形形状となっている。
【００３６】
上記構成のキャップ付き容器１では、使用者は、キャップ２０を口部１１に対して着脱する際に、キャップ２０の把持部分２２Ｂの外周面を指で把持してキャップ２０を回転させることで、キャップ２０を口部１１に対して容易に回転させることができる。
【００３７】
すなわち、本実施の形態のキャップ付き容器１では、キャップ２０の周壁２２の雌ネジ２２ａが形成されるネジ形成部分２２Ａと頂壁２１との間に、径方向の肉厚が互いに相違する薄肉部２４と厚肉部２５とが周方向に向けて交互に並べて設けられた把持部分２２Ｂを設けるようにしたので、図４に示すように、キャップ２０の把持部分２２Ｂの外周面を指で挟むように把持すると、一対の厚肉部２５の間において、指から加えられる力によって薄肉部２４は指の形状に沿うように径方向内側に弾性変形することになる。このように、周壁２２を指にフィットする形状に変形させることができるので、指をキャップ２０に対して周方向に滑り難くすることができる。また、指でキャップ２０を回転させる際に、指が厚肉部２５に引っ掛かって係止されることになるので、指をキャップ２０に対して周方向により滑り難くすることができる。したがって、キャップ２０を口部１１に対して着脱する際における、キャップ２０の周壁２２に対する指の周方向への滑りを抑えて、キャップ２０の回転操作をより容易に行い得るようにすることができる。
【００３８】
これに対し、本実施の形態のキャップ付き容器１とは相違して、キャップの周壁が周方向に一定の肉厚を有する構成とした場合では、指で挟むようにキャップの周壁を把持すると、周壁は全体が楕円形状となるように変形してしまい、指にフィットする形状には変形しないので、指を周壁に対して十分に係止させることができず、指をキャップに対して周方向に滑り難くすることはできない。
【００３９】
また、本実施の形態のキャップ付き容器１では、把持部分２２Ｂに設けた薄肉部２４を径方向内側に弾性変形させることで指を滑り止めさせる構成であるので、把持部分２２Ｂの外周面に、例えばローレット加工やスプライン加工などを施したり、軟質被膜を設けたりすることなく、キャップ２０の周壁２２に対する指の周方向への滑りを抑えることができる。したがって、本実施の形態のキャップ付き容器１を、例えば化粧料容器などの用途に用いる場合に、キャップ２０の外周面を、上記したような加工部ないし軟質被膜を設けることなく、例えば光沢のある滑らかな仕上げとするなどしてキャップ２０の外観をより美観の高いものとしつつ、キャップ２０の周壁２２に対する指の周方向への滑りを確実に抑えて、キャップ２０の回転操作を容易に行い得るものとすることができる。この場合、容器本体１０の外周面も、キャップ２０と同様に光沢のある滑らかな仕上げとすることもできる。
【００４０】
また、本実施の形態のキャップ付き容器１では、把持部分２２Ｂにおいて、厚肉部２５の周方向長さよりも薄肉部２４の周方向長さを長くするようにしたので、キャップ２０の把持部分２２Ｂの外周面を指で挟むように把持したときに、指が薄肉部２４上に配置され易くすることができる。これにより、キャップ２０の把持部分２２Ｂを指で把持したときに指が自然と薄肉部２４上に位置するようにして、キャップ２０の回転操作をより容易に行い得るようにすることができる。
【００４１】
さらに、本実施の形態のキャップ付き容器１では、４つの薄肉部２４の周方向長さを互いに同一にするとともに、４つの厚肉部２５の周方向長さを互いに同一にするようにしたので、キャップ２０の把持部分２２Ｂの周方向のどの位置を指で挟むように把持しても、上記した効果を同様に得ることができる。
【００４２】
さらに、本実施の形態のキャップ付き容器１のように、薄肉部２４と厚肉部２５とを、それぞれ偶数個設けた場合には、キャップ２０の把持部分２２Ｂの外周面を指で挟むように把持したときに、両方の指がともに薄肉部２４上に位置するようにして、キャップ２０の回転操作をより容易に行い得るようにすることができる。
【００４３】
さらに、本実施の形態のキャップ付き容器１では、４つの厚肉部２５を、それぞれ周方向長さよりも軸方向長さが長い柱状に形成するようにしたので、周方向の全範囲に占める薄肉部２４の割合を大きくしつつ、キャップ２０を回転させる際に指を確実に係止させることができるようにして、キャップ２０の回転操作をより容易に行い得るようにすることができる。
【００４４】
さらに、本実施の形態のキャップ付き容器１では、厚肉部２５を薄肉部２４に対して径方向内側に突出させて設け、把持部分２２Ｂの外周面の外径を全周に亘って一定の円筒状に形成するようにしたので、キャップ２０の周壁２２の外観の美観を高めつつ上記効果を得ることができる。
【００４５】
さらに、本実施の形態のキャップ付き容器１では、薄肉部２４の径方向の厚みを、ネジ形成部分２２Ａにおける周壁２２の径方向の厚みの半分以下としたので、キャップ２０の把持部分２２Ｂの外周面を挟むように把持する指により、薄肉部２４が径方向内側に向けてより弾性変形し易くして、キャップ２０の回転操作をより容易に行い得るようにすることができる。
【００４６】
さらに、本実施の形態のキャップ付き容器１のように、容器本体１０が広口瓶形状に形成されたものでは、キャップ２０も広口に形成される口部１１に合わせて外径が大きく形成され、これによりキャップ２０を口部１１に対して着脱する際に必要な回転力も大きくなるが、このような場合であっても、上記構成により、キャップ２０の回転操作を容易に行い得るようにすることができる。
【００４７】
本発明は前記実施の形態に限定されるものではなく、その要旨を逸脱しない範囲で種々変更可能であることはいうまでもない。
【００４８】
例えば、前記実施の形態においては、キャップ付き容器１を、クリーム状の化粧料などを内容物として収容する用途に用いられるものとしたが、これに限らず、他の内容物を収容する用途に用いられるものとすることもできる。
【符号の説明】
【００４９】
１    キャップ付き容器
１０    容器本体
１１    口部
１１ａ  雄ネジ
１２    胴部
１３    底部
２０    キャップ
２１    頂壁
２２    周壁
２２Ａ  ネジ形成部分
２２Ｂ  把持部分
２２ａ  雌ネジ
２３    シール材
２４    薄肉部
２５    厚肉部
Ｓ    収納空間
【図１】
2019043606.tif 000003
【図２】
2019043606.tif 000004
【図３】
2019043606.tif 000005
【図４】
2019043606.tif 000006